(57)【要約】  本発明は、車内の鍵生成装置１０，１０ａ，１０ｂのために少なくとも１つの機密情報２４，２４ａ，２４ｂを提供するステップと、前記少なくとも１つの機密情報２４，２４ａ，２４ｂに基づいて前記車内の鍵生成装置１０，１０ａ，１０ｂによって少なくとも１つの新しい暗号鍵２６，２６ａ，２６ｂを生成するステップとを有する、暗号鍵を車内で管理するための方法に関する。
2021532686.tif 000002
【特許請求の範囲】
【請求項１】
暗号鍵を車内で管理するための方法において、
−車内の鍵生成装置（１０，１０ａ，１０ｂ）のために少なくとも１つの機密情報（２４，２４ａ，２４ｂ）を提供するステップと、
−前記少なくとも１つの機密情報（２４，２４ａ，２４ｂ）に基づいて前記車内の鍵生成装置（１０，１０ａ，１０ｂ）によって少なくとも１つの新しい暗号鍵（２６，２６ａ，２６ｂ）を生成するステップとを特徴とする当該方法。
【請求項２】
−少なくとも１つの車内の制御装置（１８ａ−１８ｃ）のために前記少なくとも１つの新しい暗号鍵（２６，２６ａ，２６ｂ）を提供するステップと、
−暗号化による安全対策（１６ａ−１６ｃ）及び非暗号化による安全対策（１６ａ−１６ｃ）で前記少なくとも１つの車内の制御装置（１８ａ−１８ｃ）によって前記少なくとも１つの新しい暗号鍵（２６，２６ａ，２６ｂ）を使用するステップとのうちの少なくとも１つのステップを特徴とする請求項１に記載の方法。
【請求項３】
前記少なくとも１つの新しい暗号鍵（２６，２６ａ，２６ｂ）の生成及び／又は前記少なくとも１つの新しい暗号鍵（２６，２６ａ，２６ｂ）の提供は、鍵交換イベント（２０，２０ａ−２０ｃ）又は鍵交換イベント（２０，２０ａ−２０ｃ）の組み合わせによって開始され及び／又は自動的に実行されることを特徴とする請求項１又は２に記載の方法。
【請求項４】
前記鍵交換イベントは、車内の制御ユニット（１２）によって捕捉され、
この制御ユニット（１２）が、前記少なくとも１つの新しい暗号鍵（２６，２６ａ，２６ｂ）の生成及び／又は前記少なくとも１つの新しい暗号鍵（２６，２６ａ，２６ｂ）の提供を開始することを特徴とする請求項３に記載の方法。
【請求項５】
−前記鍵生成装置（１０，１０ａ，１０ｂ）によって実行される鍵の生成を前記制御ユニット（１２）によって制御するステップと、
−前記鍵生成装置（１０，１０ａ，１０ｂ）によって実行される鍵の生成を前記制御ユニット（１２）によって適合するステップとのうちの少なくとも１つのステップを特徴とする請求項４に記載の方法。
【請求項６】
−新しい暗号鍵（２６，２６ａ，２６ｂ）を１つ又は複数の制御装置（１８ａ−１８ｃ）に提供すること及び／又は分配することを前記制御ユニット（１２）によって制御するステップと、
−新しい暗号鍵（２６，２６ａ，２６ｂ）を１つ又は複数の制御装置（１８ａ−１８ｃ）に提供すること及び／又は分配することを前記制御ユニット（１２）によって適合するステップとのうちの少なくとも１つのステップを特徴とする請求項４又は５に記載の方法。
【請求項７】
−車内の制御装置（１８ａ−１８ｃ）によって使用される前記少なくとも１つの新しい暗号鍵（２６，２６ａ，２６ｂ）を車外のコンピュータシステム（１０２）に生成させることを許容する鍵生成パラメータを前記車外のコンピュータシステム（１０２）のために提供するステップと、
−車内の制御装置（１８ａ−１８ｃ）によって使用される少なくとも１つの暗号鍵（２６，２６ａ，２６ｂ）を前記車外のコンピュータシステム（１０２）によって生成するステップとのうちの少なくとも１つのステップを特徴とする請求項１〜６のいずれか１項に記載の方法。
【請求項８】
−前記車内の鍵生成装置（１０，１０ａ，１０ｂ）のために認可情報（２２）を提供するステップであって、
前記車内の鍵生成装置（１０，１０ａ，１０ｂ）による前記少なくとも１つの新しい暗号鍵（２６，２６ａ，２６ｂ）の生成は、前記認可情報（２２）に基づいても実行されることを特徴とする請求項１〜７のいずれか１項に記載の方法。
【請求項９】
−少なくとも１つの機密情報（２４，２４ａ，２４ｂ）を記憶するための記憶装置を有する、車内の通信システム（１００）で使用するための鍵生成装置（１０，１０ａ，１０ｂ）において、
少なくとも１つの新しい暗号鍵（２６，２６ａ，２６ｂ）を前記少なくとも１つの機密情報（２４，２４ａ，２４ｂ）に基づいて生成するように構成されている演算装置を特徴とする鍵生成装置（１０，１０ａ，１０ｂ）。
【請求項１０】
−１つの鍵生成装置（１０，１０ａ，１０ｂ）と、
−１つの制御ユニット（１２）と、
−少なくとも１つの制御装置（１８ａ−１８ｃ）とを有する車内の通信システム（１００）において、
請求項１〜８のいずれか１項に記載の暗号鍵を車内で管理するための方法を実行するように構成されていることを特徴とする車内の通信システム（１００）。
【発明の詳細な説明】
【技術分野】
【０００１】
本発明は、暗号鍵を車内で管理するための方法に関する。
【０００２】
さらに、本発明は、機密情報を記憶するための記憶装置を有する、車内の通信システムで使用するための鍵生成装置に関する。
【０００３】
さらに、本発明は、１つの鍵生成装置と１つの制御ユニットと少なくとも１つの制御装置とを有する車内の通信システムに関する。
【背景技術】
【０００４】
異なる複数の車内の制御装置同士の車内通信を暗号で保護し、これらの車内の制御装置のソフトウェアの完全性を暗号で保護するため、暗号鍵が、車両内で使用される。
【０００５】
暗号による適切な保護が、車両の耐用期間にわたって維持され得るように、車内の通信システム内で新しい暗号鍵を定期的に生成し分配することが必要である。これに関連して、用語である鍵の再生成が広く知られている。
【０００６】
新しい鍵材料を車内の通信システムに導入するため、様々な取り組みが知られている。例えば、暗号鍵が、現場の技術者によって試験装置を用いて車内の通信システム内に直接にダウンロードされる。さらに、鍵を生成させる命令を、鍵を生成する車内の制御装置に送信することが知られている。当該取り組みは、現場の権限のある技術者によって、又は車両に対する保護されたエンドツーエンド接続を介したバックエンドによって実行され得る。さらに、バックエンドから保護されたエンドツーエンド接続を介して車両に鍵材料を送信することが知られている。
【０００７】
しかしながら、当該既知の解決策は、相当な問題を部分的に伴う。技術者による鍵材料又は鍵を生成させる命令のダウンロード時に、車両が物理的に提供される必要がある。したがって、車両のユーザーにとっては不便である。鍵の再生成が、定期的に実行すべきメンテナンス作業中に車両で実行されると、鍵の使用期間が長くなり得る。その結果、車内の通信信頼性が直ちに保証され得ない。さらに、第三者が、鍵材料のダウンロードに携わる現場の作業員に悪影響を及ぼすことが排除され得ない。
【０００８】
安全なインターネット接続を使用して鍵材料又は鍵を生成させる制御命令を伝送する場合、セキュリティ破壊の招来の危険（Ｋｏｍｐｒｏｍｉｔｔｉｅｒｕｎｇｓｒｉｓｉｋｏ）が常にある。その結果、この方式でも、安全な鍵の再生成が実行され得ない。
【発明の概要】
【発明が解決しようとする課題】
【０００９】
したがって、本発明の課題は、車内の制御機器用の暗号鍵の生成及び提供時の安全性を向上させることにある。
【課題を解決するための手段】
【００１０】
本発明の当該課題は、冒頭で述べた種類の方法によって解決される。この場合、車内の鍵生成装置の本発明の方法の実行中に、少なくとも１つの機密情報が提供され、少なくとも１つの新しい暗号鍵が、当該少なくとも１つの機密情報に基づいて当該車内の鍵生成装置によって生成される。
【００１１】
本発明は、車内で鍵を生成することによって、例えば技術者又はバックエンドを介して鍵を直接に導入することの必要性がないことを利用している。その結果、対応するセキュリティ破壊の招来の危険が排除される。車内の通信システムに導入すべき当該少なくとも１つの機密情報は、例えば塩パラメータ（Ｓａｌｔ−Ｐａｒａｍｅｔｅｒ）又は種パラメータ（Ｓｅｅｄ−Ｐａｒａｍｅｔｅｒ）のような追加の生成パラメータなしでは鍵を生成するために使用され得ない。したがって、当該少なくとも１つの機密情報の提供工程に向けられた攻撃は、車両内の通信の安全性を損なうために適切でない。こうして、鍵の再生成の安全性が著しく向上する。
【００１２】
鍵生成装置は、少なくとも１つの鍵を生成するために、例えばＰＢＫＤＦ２のような鍵導出関数を使用する。当該少なくとも１つの機密情報は、例えば秘密鍵、パスワード又はパスフレーズでもよい。当該少なくとも１つの機密情報は、例えば最初に鍵生成装置にダウンロードされ得て、及び／又は例えばディフィー・ヘルマン又はエルガマンのような鍵交換方法及び／又は鍵共有方法によって伝送され得る。複数の機密情報が、車内の鍵生成装置に提供されてもよい。当該鍵生成装置は、１つ又は複数の機密情報に基づいて複数の新しい暗号鍵を生成できる。
【００１３】
さらに、本発明の方法は、少なくとも１つの新しい暗号鍵が少なくとも１つの車内の制御装置に提供されることによって有益に改良される。代わりに又はさらに、当該少なくとも１つの新しい暗号鍵は、当該車内の制御装置によって暗号化による安全対策と非暗号化による安全対策とで使用される。当該少なくとも１つの新しい暗号鍵は、鍵分配工程によって、特に鍵交換アルゴリズムを使用して複数の車内の制御装置に提供されてもよく、又はこれらの制御装置の下で取り決められてもよい。この場合、当該複数の車内の制御装置は、当該少なくとも１つの新しい暗号鍵を暗号化による安全対策と非暗号化による安全対策とで使用できる。当該車内の制御装置は、例えばエレクトロニックコントロールユニット（ＥＣＵ）でもよい。暗号化による安全対策は、例えばメッセージの暗号化に関連する。非暗号化による安全対策は、例えばメッセージの署名に関連する。例えば、車内の制御装置ごとに１つ又は複数の機密情報が、車内の鍵生成装置に提供される。その結果、制御装置に固有の暗号鍵が、それぞれの１つの機密情報又はそれぞれの複数の機密情報に基づいて生成され得る。当該暗号鍵は、それぞれの車内の制御装置に割り当てられている。
【００１４】
さらに、本発明の方法は、少なくとも１つの新しい暗号鍵の生成及び／又は少なくとも１つの新しい暗号鍵の提供が１つの鍵交換イベント又は複数の鍵交換イベントの組み合わせによって開始され、及び／又は自動的に実行される場合に有益である。当該鍵交換イベントは、例えば、ファイアウォールの警告、侵入検出、失敗したＩＤチェック又は認証規則の違反（自ら署名した証明書による不正の身元証明（ｆａｌｓｅ  ｉｄｅｎｔｉｔｙ  ｐｒｏｏｆ  ｖｉａ  ｏｗｎ  ｓｉｇｎｅｄ  ｂａｃｋｅｎｄ  ｃｅｒｔｉｆｉｃａｔｅ））のようなセキュリティイベントでもよい。当該鍵交換イベントは、例えば、位置の変化、走行経路の変化及び／又は物理的な限界パラメータの超過のような環境の変化でもよい。さらに、当該鍵交換イベントは、時間の超過でもよい。さらに、当該鍵交換イベントは、異常検知によって確認され得る車内の変化でもよい。
【００１５】
さらに、本発明の方法は、鍵交換イベントが車内の制御ユニットによって捕捉されることによって有益に改良される。この場合、当該制御ユニットは、少なくとも１つの新しい暗号鍵の生成及び／又は当該少なくとも１つの新しい暗号鍵の提供を開始する。したがって、当該車内の制御ユニットは、特に鍵の再生成マネージャーとして機能する。特に、当該方法は、１つの鍵交換イベント又は複数の鍵交換イベントの組み合わせを当該車内の制御ユニットによって捕捉する。当該鍵生成装置と当該制御ユニットとは、独立した電子モジュールでもよく、又は共通の１つの電子モジュール内に組み込まれてもよい。
【００１６】
本発明の方法の別の実施の形態では、制御ユニットが、鍵生成装置によって実行される鍵の生成を制御し、及び／又は当該鍵生成装置によって実行される鍵の生成を適合する。代わりに又はさらに、当該制御ユニットは、１つ又は複数の制御装置に対する新しい暗号鍵の提供及び／又は分配を制御し、１つ又は複数の制御装置に対する新しい暗号鍵の提供及び／又は分配を適合する。当該制御ユニットが、当該鍵の生成の適合及び／又は当該鍵の分配の適合を可能にすることによって、鍵の再生成の工程が、動的に変更可能である。特に、当該制御ユニットは、鍵の生成のために使用すべき機密情報を当該鍵生成装置に事前に提供する。当該工程を変更することによって、１つ又は複数の機密情報が、例えば当該機密情報のセキュリティ破壊（Ｋｏｍｐｒｏｍｉｔｔｉｅｒｕｎｇ）の確認後にもはや使用されることはあり得ない。さらに、当該制御ユニットは、鍵導出関数の枠組みの中で使用すべきパラメータを当該鍵生成装置に事前に提供され得る。したがって、当該パラメータを変更することによって、新しい暗号鍵が、不変の機密情報に基づいて生成され得る。
【００１７】
本発明の方法の好適な実施の形態では、車内の制御装置によって使用される少なくとも１つの暗号鍵を車外のコンピュータシステムに生成させることを許容する鍵生成パラメータが、当該車外のコンピュータシステムに提供される。代わりに又はさらに、当該方法は、車内の制御装置によって使用される少なくとも１つの暗号鍵を外部のコンピュータシステムによって生成することを含む。当該外部のコンピュータシステムは、車両メーカー又は第三者のサプライヤーによって稼働される、例えばバックエンドでもよい。当該鍵生成パラメータの提供は、特に保護されたインターネット接続を使用して、例えば鍵生成パラメータを車内の通信システムから車外のコンピュータシステムに送信することを含み得る。特に、鍵を生成するために車内の鍵生成装置に提供された少なくとも１つの機密情報も、当該車外のコンピュータシステムに通知されている。当該提供された鍵生成パラメータと当該少なくとも１つの機密情報とに基づいて、当該車外のコンピュータシステムは、当該車内の通信システムの枠組みの中でも使用される適切な暗号鍵を生成することができる。
【００１８】
さらに、本発明の方法は、認可情報が車内の鍵生成装置に提供され、少なくとも１つの新しい暗号鍵が当該認可情報に基づいて当該車内の鍵生成装置によって生成される場合に有益である。当該認可情報は、クレデンシャルとも呼ばれ得て、例えばカウンタ、トークン及び／又は認証情報を含み得る。特に、当該認可情報は、制御ユニットから当該鍵生成装置に提供される。
【００１９】
さらに、本発明の課題は、冒頭で述べた種類の鍵生成装置によって解決される。この場合、本発明の鍵生成装置は、少なくとも１つの機密情報に基づいて少なくとも１つの新しい暗号鍵を生成するように構成されている演算装置を有する。特に、当該鍵生成装置は、当該方法の実行中に暗号鍵を車内で管理するために上記の複数の実施の形態のうちの１つの実施の形態にしたがって使用されるように構成されている。本発明の鍵生成装置の利点及び変更例は、暗号鍵を車内で管理するための方法の利点及び変更例に記載されている。
【００２０】
さらに、本発明の課題は、冒頭で述べた種類の車内の通信システムによって解決される。この場合、本発明の通信システムは、暗号鍵を車内で管理するための方法を上記の複数の実施の形態のうちの１つの実施の形態にしたがって実行するように構成されている。本発明の通信システムの利点及び変更例は、暗号鍵を車内で管理するための本発明の方法の利点及び変更例に記載されている。
【００２１】
以下に、本発明の好適な実施の形態を添付図面を参照して詳しく説明し記載する。
【図面の簡単な説明】
【００２２】
【図１】本発明の通信システムの実施の形態を概略的に示す。
【図２】本発明の通信システムの別の実施の形態を概略的に示す。
【図３】本発明の通信システムの別の実施の形態を概略的に示す。
【図４】本発明の方法の概略的なフローチャートである。
【発明を実施するための形態】
【００２３】
図１によれば、社内の通信システム１００は、１つの鍵生成装置１０、１つの制御ユニット１２及び複数の、すなわち３つの制御装置１８ａ−１８ｃを含む。
【００２４】
鍵生成装置１０は、提供された機密情報２４ａ，２４ｂを記憶するための記憶装置を有する。この場合、機密情報２４ａ，２４ｂは、例えば暗号鍵、パスワード又はパスフレーズでもよい。鍵生成装置１０用の機密情報２４ａ，２４ｂは、例えば、通信システム１００の実行中に最初にダウンロードすることによって、及び／又は事後的に例えばディフィー・ヘルマン又はエルガマンのような鍵交換方法及び／又は鍵共有方法によって提供され得る。
【００２５】
さらに、認可情報２２が、制御ユニット１２によって鍵生成装置１０に提供される。認可情報２２は、「クレデンシャル」とも呼ばれ、例えばカウンタ、トークン及び／又は認証情報を含む。
【００２６】
鍵生成装置１０は、機密情報２４ａ，２４ｂと認可情報２２とに基づいて暗号鍵２６ａ，２６ｂを生成する演算装置を有する。当該生成された鍵２６ａ，２６ｂは、鍵交換アルゴリズムを使用して分配装置１４によって車内の複数の制御装置１８ａ−１８ｃに提供される。図示された実施の形態では、鍵生成装置１０は、機密情報２４ａに基づいて暗号鍵２６ａを生成し、機密情報２４ｂに基づいて暗号鍵２６ｂを生成する。暗号鍵２６ａは、車内の制御装置１８ａ，１８ｂに提供される。暗号鍵２６ｂは、車内の制御装置１８ｃに提供される。
【００２７】
車内の制御装置１８ａ−１８ｃは、エレクトロニックコントロールユニット（ＥＣＵ）として構成されていて、暗号化又はメッセージの署名のように、暗号化による安全対策１６ａ−１６ｃと非暗号化による安全対策１６ａ−１６ｃとの枠組みの中で、提供された暗号鍵２６ａ，２６ｂを使用する。
【００２８】
暗号鍵２６ａ，２６ｂの生成及び生成された暗号鍵２６ａ，２６ｂの提供は、１つの鍵交換イベント２０ａ−２０ｃ又は複数の鍵交換イベント２０ａ−２０ｃの組み合わせによって開始され、その鍵交換イベント２０ａ−２０ｃの発生時に又はそれらの鍵交換イベント２０ａ−２０ｃの組み合わせの発生時に自動的に実行される。
【００２９】
鍵交換イベント２０ａ−２０ｃは、車内の制御ユニット１２によって捕捉される。その結果、制御ユニット１２は、新しい暗号鍵２６ａ，２６ｂの生成と、当該生成された暗号鍵２６ａ，２６ｂの提供を開始する。さらに、制御ユニット１２は、鍵生成装置１０によって実行された鍵生成を制御するために使用され、鍵生成装置１０によって実行された鍵生成を適合するために使用される。
【００３０】
鍵交換イベント２０ａ−２０ｃは、車内の変化２０ａ、環境の変化２０ｂ又はセキュリティイベント２０ｃでもよい。車内の変化２０ａは、異常検出によって捕捉され得る。環境の変化２０ｂは、例えば、車両の位置の変化、計画された走行経路の変化又は物理的な限界パラメータの超過に関連してもよい。さらに、環境の変化２０ｂは、時系列の変化又は限界に関連してもよい。セキュリティイベント２０ｃは、例えば、ファイアウォールの警告、侵入検出、失敗したＩＤチェック又は認証規則の違反（自ら署名した証明書による不正の身元証明（ｆａｌｓｅ  ｉｄｅｎｔｉｔｙ  ｐｒｏｏｆ  ｖｉａ  ｏｗｎ  ｓｉｇｎｅｄ  ｂａｃｋｅｎｄ  ｃｅｒｔｉｆｉｃａｔｅ））でもよい。
【００３１】
さらに、車内の通信システム１００は、鍵生成パラメータを、例えばインターネット接続を介して車外のコンピュータシステム１０２に提供するように構成されている。当該鍵生成パラメータは、車内の制御装置１８ａ−１８ｃによって使用される暗号鍵２６ａ，２６ｂを生成することを車外のコンピュータシステム１０２に許可する。その結果、車内で生成される鍵２６ａ，２６ｂが、車外でも生成可能になる。
【００３２】
図２に示された通信システム１００は、独立した２つの鍵生成装置１０ａ，１０ｂを含む。この場合、鍵生成装置１０ａは、車内の制御装置１８ａの構成要素であり、鍵生成装置１０ｂは、車内の制御装置１８ｂの構成要素である。機密情報２４が、鍵生成装置１０ａ，１０ｂに提供される。この場合、鍵生成装置１０ａ，１０ｂは、機密情報２４に基づいて暗号鍵を導出するように構成されている。この場合、この暗号鍵は、安全対策１６ａ，１６ｂの枠組みの中でそれぞれの制御装置１８ａ，１８ｂによって直接に使用可能である。
【００３３】
鍵生成装置１０ａ，１０ｂは、それぞれの鍵を生成するために、例えば鍵導出関数を使用する。鍵生成装置１０ａ，１０ｂが、車内の制御装置１８ａ，１８ｂ内に組み込まれているので、当該生成された鍵を分配する必要はない。
【００３４】
図３は、車内の通信システム１００を示す。この通信システム１００の場合、エレクトロニックコントロールユニット（ＥＣＵ）としてそれぞれ構成された２つの制御装置１８ａ，１８ｂが、暗号化され且つ署名されたメッセージ３２ａ，３２ｂを互いに入れ替える。この場合、メッセージ３２ａ，３２ｂは、例えば暗号タグ（Ｃｈｉｆｆｒｅ）又はＭＡＣタグ（ＭＡＣ−Ｔａｇ）のような識別子３４を有する。侵入検出装置３０が、車外の攻撃者１０４の攻撃を捕捉するために使用される。
【００３５】
したがって、鍵の新規の生成を必要とするセキュリティイベント２０が発生しているか否かが、侵入検出装置３０によって確認され得る。当該確認されたセキュリティイベント２０に起因して、制御ユニット１２は、新しい暗号鍵２６の生成及び分配の命令を発する。制御装置１８ａ，１８ｂは、互いにさらに通信するために当該新しい暗号鍵２６を使用できる。こうして、これらの制御装置１８ａ，１８ｂの場合に、古い鍵２８が、新しい鍵２６に自動的に入れ替えられる。当該入れ替えは、外部の攻撃を検出することによって引き起こされる。
【００３６】
図４に示されたフローチャートは、暗号鍵を車内で管理するための方法の実行中の方法の流れ２００を例示する。
【００３７】
ステップ２０２では、メッセージが、車内の制御装置１８ａによって暗号化され署名される。当該メッセージは、識別子を含む。ステップ２０４では、当該メッセージが、車内の制御装置１８ｂに送信される。この場合、制御装置１８ｂに対してアドレス付けされた当該メッセージは、ステップ２０６で攻撃者１０４によって捕らえられ改竄される。当該改竄は、ステップ２０８で車内の侵入検出装置３０によって捕捉される。この場合、当該改竄されたメッセージは、攻撃者１０４から車内の制御装置１８ｂに送信される。
【００３８】
ステップ２１２によって、車内の制御ユニット１２が、当該侵入検出装置によって制御装置１８ａと制御装置１８ｂとの間の通信に対する攻撃に関して通知される。これに伴って、制御ユニット１２は、ステップ２１４で制御装置１８ａと制御装置１８ｂとの間の通信中に使用された暗号鍵を確認し、対応する生成命令によって新しい暗号鍵を生成する命令を発する。当該命令は、ステップ２１６で鍵生成装置１０に送信される。さらに、ステップ２１８で、制御装置１８ａと制御装置１８ｂとの間の通信のために今まで使用された暗号鍵は現在では無効であり、新しい鍵が、当該無効の鍵と入れ替えるために生成されることが、車外のコンピュータシステムに通知される。
【００３９】
すると、制御装置１８ａと制御装置１８ｂとの間の通信を保護するための新しい暗号鍵を生成するため、鍵生成装置１０は、予め提供され且つこの鍵生成装置１０のメモリ上に記憶された機密情報を使用する。当該生成された暗号鍵は、暗号分配工程によってステップ２２２で制御装置１８ａに提供され、ステップ２２４で制御装置１８ｂに提供される。
【００４０】
制御装置１８ａは、ステップ２２８で今まで使用し且つ現在では無効の暗号鍵を新たに生成され且つ鍵生成装置１０によって提供された暗号鍵に入れ替える。制御装置１８ｂは、ステップ２２６で今まで使用し且つ現在では無効の暗号鍵を新たに生成され且つ鍵生成装置１０によって提供された暗号鍵に入れ替える。すると、制御装置１８ａと制御装置１８ｂとの間の通信が、当該新たに生成された暗号鍵によって保護される。
【００４１】
したがって、本発明は、車内の安全上の欠陥の自動的な排除を可能にする。当該安全上の欠陥の自動的な排除は、鍵入れ替えイベントを確認することによって開始され、外部の技術者のさらなる対策、又は外部のコンピュータシステムとのデータ交換を必要としない。
【符号の説明】
【００４２】
１０，１０ａ，１０ｂ  鍵生成装置
１２                  制御ユニット
１４                  分配装置
１６ａ−１６ｃ        安全対策
１８ａ−１８ｃ        制御装置
２０，２０ａ−２０ｃ  鍵入れ替えイベント
２２                  認可情報
２４，２４ａ，２４ｂ  機密情報
２６，２６ａ，２６ｂ  鍵
２８                  古い鍵
３０                  侵入検出装置
３２ａ，３２ｂ        メッセージ
３４                  識別子
１００                通信システム
１０２                コンピュータシステム
１０４                攻撃者
２００                方法の流れ
２０２−２２８        方法ステップ
【図１】
2021532686.tif 000003
【図２】
2021532686.tif 000004
【図３】
2021532686.tif 000005
【図４】
2021532686.tif 000006
【国際調査報告】
2021532686.tif 000007
2021532686.tif 000008
2021532686.tif 000009
2021532686.tif 000010